(57)【要約】【課題】危険状態の発生を安全かつ確実に警告することができる非常電話中央処理装置、非常電話、危険警告システム、非常電話中央処理方法及び、非常電話中央処理プログラムを提供する。【解決手段】非常電話中央処理装置１００は、非常電話２００、交通中央処理装置３００、官制室４００から道路上で発生した危険事象に関する情報を含む電文を受信し、その電文に基づいて点灯制御する警光灯２１０を指定する。非常電話中央処理装置１００は、点灯制御することを指定した警光灯２１０を搭載する非常電話２００に、警光灯を点灯制御する旨を示す制御電文を送信する。制御電文を受信した非常電話２００は、制御電文に基づいて警光灯２１０を点灯制御する。【選択図】図１
2017126096.tif 000002
【特許請求の範囲】
【請求項１】
ネットワークを介して、警光灯を搭載した複数の非常電話と通信可能な非常電話中央処置装置であって、
一の前記非常電話から該非常電話が操作された旨を示す危険事象情報と該非常電話の位置を示す電話位置情報とを受信する受信部と、
前記受信部が受信した前記危険事象情報と前記電話位置情報とに基づいて、点灯させる前記警光灯を指定する指定手段と、
前記指定手段が指定した前記警光灯を搭載した非常電話に、該警光灯を点灯する指示を示す指示情報を送信する送信部と、
を備えることを特徴とする非常電話中央処理装置。
【請求項２】
前記非常電話中央処理装置は、ネットワークを介して、複数の非常電話と通信可能な官制装置と通信可能であって、
前記受信部は、前記一の前記非常電話と通話した前記官制装置から送信された危険事象の内容を示す危険事象内容情報と危険事象の発生位置を示す発生位置情報とを含む修正情報を受信し、
前記指定手段は、前記受信部が受信した修正情報に基づいて、点灯させる前記警光灯の指定を修正し、
前記送信部は、前記指定手段が前記修正情報に基づいて指定した前記警光灯を搭載した非常電話に、該警光灯を点灯する指示する指示情報を送信する、
ことを特徴とする請求項１に記載の非常電話中央処理装置。
【請求項３】
前記非常電話中央処理装置は、ネットワークを介して、交通中央処理装置とさらに通信可能であって、
前記受信部は、前記交通中央処理装置から、発生した危険事象の内容を示す危険事象内容情報と該危険事象が発生した位置を示す発生位置情報とを受信し、
前記指定手段は、前記交通中央処理装置から受信した前記危険事象内容情報と前記発生位置情報とに基づいて、点灯させる前記警光灯を指定する、
ことを特徴とする請求項１又は２に記載の非常電話中央処理装置。
【請求項４】
前記危険事象内容情報と前記発生位置情報とから、発生した危険事象の危険度を判定する判定手段をさらに備え、
前記指定手段は、前記判定手段が判定した危険度に基づいて、点灯させる前記警光灯と該警光灯の点灯態様を指定し、
前記送信部は、前記指定手段が指定した前記警光灯を搭載した非常電話に、該警光灯の前記点灯態様を指示する情報を送信する、
ことを特徴とする請求項２または３に記載の非常電話中央処理装置。
【請求項５】
危険度と点灯対象の前記警光灯の設置範囲と該警光灯の点灯態様との組み合わせを記憶する記憶部をさらに備え、
前記指定手段は、前記判定手段が判定した危険度に対応した前記記憶部に記憶された前記組み合わせに基づいて、点灯させる前記警光灯と該警光灯の点灯態様とを指定する、
ことを特徴とする請求項４に記載の非常電話中央処理装置。
【請求項６】
前記受信部は、消滅した危険事象を示す消滅危険事象情報をさらに受信し、
前記指定手段は、前記受診部が受信した消滅危険事象情報に基づいて、消灯させる前記警光灯を指定し、
前記送信部は、前記指定手段が指定した前記警光灯を搭載した非常電話に、該警光灯を消灯することを指示する情報を送信する、
ことを特徴とする請求項１乃至５のいずれか一項に記載の非常電話中央処理装置。
【請求項７】
ネットワークを介して、警光灯を搭載した複数の非常電話を制御する非常電話中央処理装置と通信可能な非常電話であって、
警光灯と、
通話手段と、
この非常電話が操作されたことを示す危険事象情報を前記非常電話中央処理装置に送信すると共に官制装置との音声通話を可能とする通信手段と、
前記非常電話中央処理装置から前記警光灯を点灯する指示を示す指示情報を受信する受信部と、
前記受信部が受信した前記指示情報に基づいて、前記警光灯を制御する制御手段と、
を備えることを特徴とする非常電話。
【請求項８】
ネットワークを介して接続された、それぞれが警光灯を搭載した複数の非常電話と、警光灯を搭載した複数の非常電話を制御する非常電話中央処理装置と、を備えた危険警告システムであって、
前記非常電話は、
警光灯と、
前記非常電話が操作された旨を示す危険事象情報と該非常電話の位置を示す電話位置情報とを前記非常電話中央処理装置に送信する第１の送信部と、
前記非常電話中央処理装置から前記警光灯を点灯することを指示する指示情報を受信する第１の受信部と、
前記第１の受信部が受信した前記指示情報に基づいて、前記警光灯を制御する制御手段と、を備え、
前記非常電話中央処理装置は、
前記非常電話から前記危険事象情報と前記電話位置情報とを受信する第２の受信部と、
前記第２の受信部が受信した前記危険事象情報と前記電話位置情報とに基づいて、点灯させる前記警光灯を指定する指定手段と、
前記指定手段が指定した前記警光灯を搭載した非常電話に、該警光灯を点灯する指示を示す指示情報を送信する第２の送信部と、を備える、
ことを特徴とする危険警告システム。
【請求項９】
一の非常電話が操作されたことを示す情報を受信し、
受信した情報に基づいて、点灯させる警光灯を搭載している非常電話を指定し、
指定した非常電話に、該警光灯を点灯することを指示する、
非常電話中央処理方法。
【請求項１０】
コンピュータに、
一の非常電話が操作されたことを示す情報を受信し、
受信した情報に基づいて、点灯させる警光灯を搭載している非常電話を指定し、
指定した非常電話に、該警光灯を点灯することを指示する、
処理を実行させる非常電話中央処理プログラム。
【発明の詳細な説明】
【技術分野】
【０００１】
本発明は、非常電話中央処理装置、非常電話、危険警告システム、非常電話中央処理方法及び、非常電話中央処理プログラムに関する。
【背景技術】
【０００２】
高速道路等での事故発生時に、事故現場付近を走行する自動車のドライバーへ２次災害の危険を警告する手段として、電子情報板やハイウェイラジオによる警告手段が知られている。
【０００３】
電子情報板は一般的に設置間隔が長いため、事故が発生する前に自動車が電子情報板の設置してある地点を通過した場合には、警告を受け取ることができない。また、ドライバーがカーラジオの受信周波数をハイウェイラジオの周波数にチューニングしていない場合には、警告を受け取ることができない。
【０００４】
このような実情に鑑み、危険情報をより的確に報知するため、道路上に多数設置されている既存の設備を事故発生の情報を提供する手段として利用する技術が知られている。
【０００５】
例えば、特許文献１には、道路上にほぼ一定間隔で設置されている複数の照明灯の点灯色や点滅パターンを制御することにより、事故が発生したことを報知するシステムが開示されている。
【先行技術文献】
【特許文献】
【０００６】
【特許文献１】特開２００４−２５９２４８号公報
【発明の概要】
【発明が解決しようとする課題】
【０００７】
照明灯は、昼間に点灯しても目立たないので、警告手段として機能しない可能性がある。さらに、照明灯は、夜間にその点灯色を変更したり、点滅させたりすると、道路利用者の視界確保が困難になる可能性がある。
【０００８】
本発明は、このような事情に鑑みてなされたものであり、危険状態の発生を安全かつ確実に警告することができる非常電話中央処理装置、非常電話、危険警告システム、非常電話中央処理方法及び、非常電話中央処理プログラムを提供することを目的とする。
【課題を解決するための手段】
【０００９】
上記目的を達成するために、本発明の第１の観点に係る非常電話中央処理装置は、
ネットワークを介して、警光灯を搭載した複数の非常電話と通信可能な非常電話中央処置装置であって、
一の前記非常電話から該非常電話が操作された旨を示す危険事象情報と該非常電話の位置を示す電話位置情報とを受信する受信部と、
前記受信部が受信した前記危険事象情報と前記電話位置情報とに基づいて、点灯させる前記警光灯を指定する指定手段と、
前記指定手段が指定した前記警光灯を搭載した非常電話に、該警光灯を点灯する指示を示す指示情報を送信する送信部と、
を備えることを特徴とする。
【００１０】
本発明の第２の観点に係る非常電話は、
ネットワークを介して、警光灯を搭載した複数の非常電話を制御する非常電話中央処理装置と通信可能な非常電話であって、
警光灯と、
通話手段と、
この非常電話が操作されたことを示す危険事象情報を非常電話中央処理装置に送信すると共に官制装置との音声通話を可能とする通信手段と、
前記非常電話中央処理装置から前記警光灯を点灯する指示を示す指示情報を受信する受信部と、
前記受信部が受信した前記指示情報に基づいて、前記警光灯を制御する制御手段と、
を備えることを特徴とする。
【００１１】
本発明の第３の観点に係る危険警告システムは、
ネットワークを介して接続された、それぞれが警光灯を搭載した複数の非常電話と、警光灯を搭載した複数の非常電話を制御する非常電話中央処理装置と、を備えた危険警告システムであって、
前記非常電話は、
警光灯と、
前記非常電話が操作された旨を示す危険事象情報と該非常電話の位置を示す電話位置情報とを前記非常電話中央処理装置に送信する第１の送信部と、
前記非常電話中央処理装置から前記警光灯を点灯することを指示する指示情報を受信する第１の受信部と、
前記第１の受信部が受信した前記指示情報に基づいて、前記警光灯を制御する制御手段と、を備え、
前記非常電話中央処理装置は、
前記非常電話から前記危険事象情報と前記電話位置情報とを受信する第２の受信部と、
前記第２の受信部が受信した前記危険事象情報と前記電話位置情報とに基づいて、点灯させる前記警光灯を指定する指定手段と、
前記指定手段が指定した前記警光灯を搭載した非常電話に、該警光灯を点灯する指示を示す指示情報を送信する第２の送信部と、を備える、
ことを特徴とする。
【００１２】
本発明の第４の観点に係る非常電話中央処理方法は、
一の非常電話が操作されたことを示す情報を受信し、
受信した情報に基づいて、点灯させる警光灯を搭載している非常電話を指定し、
指定した非常電話に、該警光灯を点灯することを指示する、
ことを特徴とする。
【００１３】
本発明の第５の観点に係る非常電話中央処理プログラムは、
コンピュータに、
一の非常電話が操作されたことを示す情報を受信し、
受信した情報に基づいて、点灯させる警光灯を搭載している非常電話を指定し、
指定した非常電話に、該警光灯を点灯することを指示する、
処理を実行させることを特徴とする。
【発明の効果】
【００１４】
本発明によれば、危険状態の発生を安全かつ確実に警告することができる。
【図面の簡単な説明】
【００１５】
【図１】本発明の実施形態に係る危険警告システムの概略図。
【図２】本発明の実施形態に係る非常電話中央処理装置の構成を示したブロック図。
【図３】（ａ）危険事象の内容と危険度とを対応付ける事象・危険度判定テーブルの構造を示す図。（ｂ）危険事象が発生した位置と危険度とを対応付ける位置・危険度判定テーブルの構造例を示す図。
【図４】危険度と点灯形態とを対応付ける点灯形態テーブルの構造例を示す図。
【図５】（ａ）発生中の危険事象に関する情報を記録する危険事象管理テーブルの構造例を示す図。（ｂ）道路に設置されている各種施設に関する情報を記憶する施設管理テーブルの構造を示す図。
【図６】（ａ）非常電話から非常電話中央処理装置と官制装置とに送信される通常の電文の構造例を示す図。（ｂ）官制装置から非常電話中央処理装置に送信される修正用電文の構造例を示す図。
【図７】非常電話の構成を示したブロック図。
【図８】交通中央処理装置の構成を示したブロック図。
【図９】官制装置の構成を示したブロック図。
【図１０】通信部を介して電文を受信した際に開始される電文受信処理を示したフローチャート。
【図１１】本発明の実施形態に係る非常電話中央処理装置の構成を示したブロック図。
【発明を実施するための形態】
【００１６】
本発明の実施形態に係る危険警告システム１について、図面を参照して詳細に説明する。
【００１７】
危険警告システム１は、高速道路で発生した交通事故等の危険事象の発生を検知し、道路利用者に危険事象が発生したという情報を提供するシステムである。危険警告システム１は、図１に示すように、非常電話中央処置装置１００と、警光灯２１０を搭載した複数の非常電話２００と、交通中央処理装置３００と、官制室のオペレータが操作するための官制装置４００と、を備え、これらはネットワークＮを介してそれぞれ互いに接続されている。図１では、理解を容易にするため、警光灯２１０と非常電話２００をそれぞれ５台（警光灯２１０ａ〜２１０ｅ、非常電話２００ａ〜２００ｅ）を示している。
非常電話２００は、高速道路の路側にほぼ一定間隔（２００ｍ〜１ｋｍ）で設置されている。警光灯２１０は、各非常電話２００に搭載され、非常電話２００により制御される。
【００１８】
また、図１では、自動車は非常電話２００ａから非常電話２００ｅの方向へ走行し、道路に設置されている非常電話２００ｅ付近の車線上で危険事象が発生したと仮定する。
【００１９】
関係者又は目撃者が、危険事象の発生を通報するため、事故発生現場近傍の非常電話２００ｅを操作すると、非常電話２００ｅは官制装置４００と接続し、通話者は、オペレータに事故の状況を伝えることが可能となる。この際、非常電話２００ｅは、非常電話２００ｅが操作された旨と非常電話２００ｅの位置とを示す電文を非常電話中央処理装置１００に送信する。非常電話中央処理装置１００は、非常電話２００ｅから電文を受信すると、非常電話２００ｅが設置されている位置から自動車が走行してくる方向の決められた距離内にある非常電話２００に、警光灯２１０を点灯させる旨を示す制御電文を送信する。
【００２０】
制御電文を受信した非常電話２００は警光灯２１０を点灯させる。図１の例では、事故を通報した非常電話２００ｅより上流の非常電話２００ｂ〜２００ｅが、非常電話中央処理装置１００からそれぞれ警光灯２１０ｂ〜２１０ｅを点灯させることを指示する制御電文を受信し、警光灯２１０ｂ〜２１０ｅを点灯させている。
【００２１】
官制室のオペレータは、非常電話２００との通話により、事故の状況等を把握し、危険事象の内容とその発生位置などを示す修正用電文を非常電話中央処理装置１００に通知する。非常電話中央処理装置１００は、修正用電文の内容に基づいて、警光灯２１０の点灯形態を適宜修正する。
【００２２】
また、目撃者からの電話通報等によりオペレータが、事故の情報を得た場合も、オペレータは、危険事象の内容とその発生位置などを示す修正用電文を非常電話中央処理装置１００に通知する。非常電話中央処理装置１００は、修正用電文の内容に基づいて、警光灯２１０の点灯形態を適宜修正する。
【００２３】
交通中央処理装置３００は、パトロールカーや警察署等からの情報などにより危険事象が発生したことを検知した場合、発生した危険事象の内容と危険度と発生した位置とを示す電文を非常電話中央処理装置１００に送信する。非常電話中央処理装置１００は、受信した電文の内容に従って、該当する非常電話２００に警光灯２１０を点灯させる。
【００２４】
路肩に周期的に設置されている非常電話２００ｂ〜２００ｅに設置された警光灯２１０ｂ〜２１０ｅが点灯することにより、ドライバーは、数キロ先に事故などの危険事象が発生していることを認識することができる。
【００２５】
交通中央処理装置３００や官制装置４００は、事故が解消したことを検知した場合、解消した事故を示す危険事象の内容とその事故が発生していた位置とを示す電文を非常電話中央処理装置１００に送信する。非常電話中央処理装置１００は、解消した危険事象に対応して点灯していた警光灯２１０を消灯するように、非常電話２００に制御電文を送信する。非常電話２００は、制御電文の内容に従って、対応する警光灯２１０を消灯し、危険事象発生の報知を停止する。
【００２６】
次に、概略を上述した危険警告システム１の機能を実現するための非常電話中央処理装置１００、非常電話２００、交通中央処理装置３００及び、官制装置４００のそれぞれの構成を説明する。
【００２７】
非常電話中央処理装置１００は、非常電話２００を集中制御するための装置であり、図２に示すように、通信部１１０と記憶部１２０と制御部１３０とから構成され、これら各部はバス１４０により接続されている。
【００２８】
通信部１１０は、ＬＡＮ（Local Area Network)等にから構成されるネットワークＮを介して非常電話２００、交通中央処理装置３００，官制装置４００に接続されており、制御電文等のデータを送受信する。
【００２９】
記憶部１２０は、ハードディスク装置等の記憶装置から構成され、非常電話２００を制御するために必要な制御プログラム、制御用データ等を記憶する。制御プログラムは、制御部１３０を、危険度判定部１３１、点灯形態特定部１３２，記録部１３３として機能させるプログラムを含む。また、制御用データは、判定テーブル１２１、点灯形態テーブル１２２及び、管理テーブル１２３を含む。
【００３０】
図３に示すように、判定テーブル１２１は、発生した危険事象の危険度を判定するためのテーブルであり、危険事象の内容と危険度とを対応付ける事象・危険度判定テーブル１２１ａと、危険事象が発生した位置と危険度とを対応付ける位置・危険度判定テーブル１２１ｂとから構成される。危険度は危険事象の危険の程度を示す指標である。事象・危険度判定テーブル１２１ａと位置・危険度判定テーブル１２１ｂとは、後述する危険度判定部１３１が危険度を計算する際に参照される。
【００３１】
図２に示す点灯形態テーブル１２２は、図４に示すように、危険度と警告灯２１０の点灯形態とを対応付けるテーブルである。点灯形態は、危険事象が発生した位置から自動車が走行してくる方向に設置されている警光灯２１０を点灯させる距離を示す点灯範囲と、点灯色や点滅パターンといった警光灯２１０の点灯態様との組み合わせである。この例では、点灯形態を点灯範囲、点灯色、点滅パターンの組み合わせとして考える。点灯形態テーブル１２２は、点灯形態特定部１３２が点灯形態を特定する際に参照される。
【００３２】
図２に示す管理テーブル１２３は、図５に示すように、危険事象管理テーブル１２３ａと施設管理テーブル１２３ｂとを備える。図５（ａ）に示すように、危険事象管理テーブル１２３ａは、発生中の危険事象について、危険事象の発生日時、危険事象の内容、危険事象が発生した位置、危険度、危険警告システム１の点灯形態、電文ＩＤといった危険事象に関する情報を危険事象ごとに紐付けて記録するためのテーブルである。ここで、電文ＩＤは、通信部１１０が受信した危険事象に関する情報を含む電文を一意に識別するための識別情報である。施設管理テーブル１２３ｂは、図５（ｂ）に示すように、各非常電話２００の位置（緯度、経度）、隣接する非常電話２００間の距離とを記録したテーブルである。
【００３３】
制御部１３０は、ＣＰＵ（Ｃｅｎｔｒａｌ  Ｐｒｏｃｅｓｓｉｎｇ  Ｕｎｉｔ）、ＲＯＭ（Ｒｅａｄ  ｏｎｌｙ  Ｍｅｍｏｒｙ）、ＲＡＭ（Ｒａｎｄｏｍ  Ａｃｃｅｓｓ  Ｍｅｍｏｒｙ）等から構成される。ＣＰＵは、ＲＡＭを作業領域として使用してＲＯＭ、記録部１２０等に格納された制御プログラムを実行することにより、非常電話中央処理装置１００の全体動作を制御する中核的な中央演算処理装置である。
【００３４】
制御部１３０は、制御プログラムを実行することにより、通信部１１０を介して非常電話２００、交通中央処理装置３００、官制装置４００から、電文を受信する。
【００３５】
非常電話２００から受信した電文は、図６（ａ）に示す電文５００ａのように電文ＩＤと、操作された非常電話２００の識別情報（電話機ＩＤ）と、日時と、偽の状態になった追跡フラグと、を示す。電文ＩＤは、その電文を一意に識別するための識別情報である。追跡フラグは、後述するように、修正する必要がある情報があるかないかを判別するためのフラグである。追跡フラグが偽であるのは、この電文よりも前に非常電話中央処理装置１００に送信された電文に基づいて危険事象管理テーブル１２３ａに書き込まれた情報の中に、修正する必要がある情報は存在しないという意味である。
【００３６】
また、制御部１３０は、通信部１１０を介して、官制装置４００から送信されてくる危険事象の内容、位置などを通知する修正用電文を受信する。この修正用電文は、図６（ｂ）に示す修正用電文５００ｂのように、電文ＩＤと、日時と、真の状態になった追跡フラグと、危険事象の内容と、危険事象が発生した位置と、を示す。追跡フラグが真であることは、その電文が修正用電文であることを示す。すなわち、この電文よりも前に非常電話中央処理装置１００に送信された電文に基づいて危険事象管理テーブル１２３ａに書き込まれた情報の中に、修正する必要がある情報が存在するという意味である。制御部１３０は、追跡フラグが真の状態である修正用電文５００ｂを受信すると、危険事象管理テーブル１２３ａから、この電文が持つ電文ＩＤと同じＩＤを持つ情報を検出し、危険事象の内容及び位置を上書きする。
【００３７】
また、制御部１３０は、交通中央処理装置３００から発生した危険事象の内容と発生した位置などを示す電文を受信する。
【００３８】
また、制御部１３０は、交通中央処理装置３００や官制装置４００から、解消した危険事象を特定する情報を含む電文を受信する。
【００３９】
また、制御部１３０は、通信部１１０を介して、特定の非常電話２００に、警光灯２１０を点灯すべきこと及び点灯の態様を指示する制御電文を送信する。
【００４０】
制御部１３０は、図２に示すように、機能的に、危険度判定部１３１と点灯形態特定部１３２と記録部１３３とを備える。
【００４１】
危険度判定部１３１は、非常電話２００又は交通中央処理装置３００から受信した電文が示す危険事象の内容と危険事象が発生した位置とから、発生した危険事象の危険度を判定する。具体的には、危険度判定部１３１は、発生した危険事象の内容を事象・危険度判定テーブル１２１ａに適応し対応付けられている危険度と、発生した危険事象の位置を位置・危険度判定テーブル１２１ｂに適応して対応付けられている危険度と、を比較して、より大きい値をその危険事象の危険度として計算する。
【００４２】
一例として、発生した危険事象が「トンネル内の路側帯で車両が停止」であるとする。この場合、危険事象の内容は「路側帯で車両が停止」であり、事象・危険度判定テーブル１２１ａより、危険度「１」が対応付けられる。一方、危険事象が発生した位置は「トンネル内」であるので、位置・危険度判定テーブル１２１ｂより、危険度「２」が対応付けられる。この場合、位置・危険度判定テーブル１２１ｂにより対応付けられた危険度の値の方が事象・危険度判定テーブル１２１ａにより対応付けられた危険度よりも大きいので、「トンネル内の路側帯で車両が停止」という危険事象の危険度は「２」と計算される。
【００４３】
図２に示す点灯形態特定部１３２は、点灯形態テーブル１２２を参照して、危険度判定部１３１が判定した危険度に対応する点灯形態を特定する。
【００４４】
例えば、危険度判定部１３１が発生した危険事象の危険度を「２」と判定した場合、点灯形態特定部１３２は、点灯形態テーブル１２２を参照して、警光灯２１０の点灯範囲を「５ｋｍ」、点灯色を「赤」、点滅パターンを「点滅なし（連続点灯）」と特定する。
【００４５】
また、記録部１３３により、危険事象管理テーブル１２３ａに記録された特定の危険事象に関するデータが削除された場合や、特定の危険事象に関する危険度が変更された場合は、点灯形態特定部１３２はその削除や変更に伴い点灯形態を変更する。
【００４６】
なお、ある危険事象の点灯範囲と他の危険事象の点灯範囲が重なる場合、重なった範囲にある警光灯２１０の点灯態様は、より高い方の危険度の点灯態様に特定される。
【００４７】
また、危険事象管理テーブル１２３ａから削除された危険事象の点灯範囲が他の危険事象の点灯範囲と重なっていた場合、重なっていた範囲にある警光灯２１０の点灯態様は、他の危険事象の危険度に対応する点灯態様に再設定される。
【００４８】
図２に示す記録部１３３は、発生した危険事象の内容と発生位置とを、危険事象管理テーブル１２３ａに登録する。また、記録部１３３は、解消した危険事象に関するデータを危険事象管理テーブル１２３ａから削除する。さらに、記録部１３３は、官制装置４００から受信した電文に基づいて、危険事象管理テーブル１２３ａに記録された対応する危険事象に関する情報を上書きする変更を行う。
【００４９】
図１に示す非常電話２００は、図７に示すように、警光灯２１０と通信部２２０と操作部２３０と記憶部２４０と制御部２５０とから構成され、これら各部はバス２６０によって接続されている。
【００５０】
警光灯２１０は、白熱電球、ハロゲン電球、ＬＥＤ（Ｌｉｔｅ  Ｅｍｉｔｔｉｎｇ  Ｄｉｏｄｅ）灯等の光源から構成され、制御部２５０の制御により、点灯・消灯、点滅、点灯色が変化する。
【００５１】
通信部２２０は、ネットワークＮや公衆通信網等に接続するための通信装置から構成される。通信部２２０は、受話器がオフフックの状態になると、ネットワークＮや公衆通信網等を介して官制装置４００と音声接続し、さらに、非常電話２００が操作された旨（危険事象情報）と非常電話２００の位置（電話位置情報）とを示す電文を、非常電話中央処理装置１００と官制装置４００とに送信する。通信部２２０はフックボタンがオンフックの状態になると、官制装置４００との接続を切断する。
【００５２】
また、通信部２２０は、ネットワークＮを介して非常電話中央処理装置１００から警光灯２１０の点灯態様を指示する制御電文を受信する。
【００５３】
操作部２３０は、受話器、フックボタン等から構成される。受話器が取り上げられるとフックボタンがオフフックの状態になり、受話器が戻されるとフックボタンがオンフックの状態になる。操作部２３０がオフフック操作されると通信部２２０は官制装置４００との音声接続を開始し、オンフック操作されると音声接続を切断する。また、操作部２３０がオフフック操作されると、制御部２５０は、通信部２２０を介して、危険事象が発生したこととその非常電話２００の位置を通知する電文を、非常電話中央処理装置１００と官制装置４００とに送信する。
【００５４】
記憶部２４０は、ハードディスク装置等の記憶装置から構成され、制御部２５０の制御プログラムなどを記憶する。
【００５５】
制御部２５０は、ＣＰＵ、ＲＯＭ、ＲＡＭ等から構成され、記憶部２４０に記憶されている制御プログラムを実行することにより、非常電話２００の全体動作を制御する。
【００５６】
具体的には、制御部２５０は、後述するフックボタンがオフフックの状態になると、通信部２２０及びネットワークＮを介して、官制装置４００と音声接続する。これにより、操作者は、受話器２３０を介して官制装置４００のオペレータと通話が可能となる。また、制御部２５０は、危険事象が発生したことと非常電話２００の位置とを示す電文を、通信部２２０を介して、非常電話中央処理装置１００と官制装置４００とに送信する。また、制御部２５０は、フックボタンがオンフックの状態になると、官制装置４００との音声接続を切断する。
【００５７】
また、制御部２５０は、通信部２２０を介して非常電話中央処理装置１００から警光灯２１０の点灯態様を指示する電文を受信する。制御部２５０は、受信した電文を解析し、解析結果に基づいて警光灯２１０の点灯態様を制御する。例えば、非常電話中央処理装置１００から、点灯態様として点灯色「赤」、点滅パターン「遅い点滅」が指示されたときには、制御部２５０は、警光灯２１０を赤色でゆっくりと点滅させて点灯させる。
【００５８】
図１に示す交通中央処理装置３００は、図８に示すように、通信部３１０と危険事象検知部３２０と記憶部３３０と制御部３４０とから構成され、これら各部はバス３５０によって接続されている。
【００５９】
通信部３１０は、ネットワークＮに接続するための通信装置から構成される。
【００６０】
危険事象検知部３２０は、例えば、道路上の停止車両や障害物を検知するためのセンサーや、ドライバーや警察官から通報された危険事象の情報を集約する装置などから構成され、道路上で危険事象が発生したことや危険事象が解消したことを検知する。
【００６１】
記憶部３３０は、ハードディスク装置等の記憶装置から構成され、制御部３４０の実行する制御プログラムを記憶する。
【００６２】
制御部３４０は、ＣＰＵ、ＲＯＭ、ＲＡＭ等から構成され、記憶部３３０に格納された制御プログラムを実行することにより、交通中央処理装置３００の全体動作に制御する。具体的には、制御部３４０は、検知部３２０が危険事象が発生したことを検知すると、発生した危険事象の内容と発生した位置とを示す電文を、通信部３１０を介して、非常電話中央処理装置１００に送信する。また、通信部３１０は、検知部３２０が危険事象が解消したことを検知すると、解消した危険事象の内容とその危険事象の発生位置とを示す電文を、通信部３１０を介して、非常電話中央処理装置１００に送信する。
【００６３】
図１に示す官制装置４００は、一種のＣＴＩ（Computer Telephony Integration）端末であり、図９に示すように、通信部４１０と操作部４２０と表示部４３０と記憶部４４０と制御部４５０とから構成され、これら各部はバス４６０によって相互に接続されている。
【００６４】
通信部４１０は、ネットワークＮや公衆通信網等に接続するための通信装置から構成される。
【００６５】
操作部４２０は、キーボード、マウス、タッチパネル等の入力装置、表示部、ヘッドセットなどの音声入出力装置を備え、オペレータの音声通話、各種指示の入力、各種情報の表示などを行う。
表示部４３０は、オペレータに種々の情報を提供する。
【００６６】
記憶部４４０は、ハードディスク装置等の記憶装置から構成され、制御部４５０の制御プログラムを記憶する。
【００６７】
制御部４５０は、ＣＰＵ、ＲＯＭ、ＲＡＭ等から構成され、記憶部４４０に記憶された制御プログラムを実行することにより、官制装置４００の各部を制御する。
具体的には、制御部４５０は、通信部４１０を介して、非常電話２００と音声接続し、非常電話２００とオペレータとの間の通話を可能とするのと同時に、非常電話２００から、電文ＩＤと、操作された非常電話２００の識別情報（電話機ＩＤ（電話位置情報））と、日時と、偽の状態になった追跡フラグ（危険事象情報）と、を示す電文５００ａを受信する。制御部４５０は、表示部４３０に、電文５００ａが示す上記の情報を表示する。オペレータは、表示部４３０に表示された電文５００ａの示す情報を参照しながら、通話により、発生した危険事象の内容、発生位置などを聞き取り、関係各所に通知する。また、オペレータは、非常電話中央処理装置１００に、受信した電文と同一の電文ＩＤと、日時と、真の状態になった追跡フラグと、危険事象の内容と、危険事象が発生した位置と、を示す修正用電文５００ｂを、通信部４１０を介して送信する。
【００６８】
また、制御部４５０は、操作部４２０から事故が解消した旨の情報が入力されると、通信部４１０を介して、非常電話中央処理装置１００に、解消した事故を示す危険事象の内容とその事故が発生していた位置とを示す電文を送信する。
【００６９】
次に、上記構成を有する危険警告システム１の動作の詳細を図１０のフローチャートを参照して説明する。
まず、事故等の危険事象が発生し、事故当事者又は目撃者が近隣の非常電話２００をオフフックすると、制御部２５０は、その操作を操作部２３０を介して受け付け、通信部２２０を介して、官制装置４００との通話を可能とする（Ｓ２１１）。制御部２５０は、さらに、「電文ＩＤ、危険事象が発生したこと、自非常電話２００の識別情報（電話機ＩＤ）」などを示す電文５００ａを、非常電話中央処理装置１００と官制装置４００とに送信する（ステップＳ２１２）。ただし、この電文は、危険事象の内容、正確な位置の情報を含んでいない。
さらに、非常電話２００は、官制装置４００と音声接続される。オペレータは、非常電話２００の操作者と通話し、事故の内容、事故の位置を特定する（ステップＳ４１１）。オペレータは、官制装置４００の操作部４２０を操作し、先に非常電話２００が電文により発生を通知した「危険事象」の危険度を変更するための修正用電文を生成する。この修正用電文は、危険事象の内容と位置を特定する情報、及び、先に非常電話２００が送信した電文ＩＤを含む。制御部２５０は、生成された電文を、通信部４１０を介して、非常電話中央処理装置１００に通知する（ステップＳ４１２）。
また、交通中央処理装置３００の危険事象検知部３２０が危険事象が発生したことを検知すると（ステップＳ３１１）、制御部３４０は、通信部３１０を介して、「危険事象の内容と発生位置」を非常電話中央処理装置１００に通知する（ステップＳ３１２）。
【００７０】
非常電話中央処理装置１００の制御部１３０は、通信部１１０を介して、非常電話２００から送信されたこれらの電文を受信する（ステップＳ１００）。制御部１３０は電文の内容を解析し、まず、通常の電文であるか修正用電文かを判別する（ステップＳ１０１）。
制御部１３０は、受信した電文が、非常電話２００或いは交通中央処理装置３００から送信された通常の電文であると解析した場合（ステップＳ１０１；Ｙｅｓ）、さらにその電文が危険事象の発生を通知する電文であるか否かを判別する（ステップＳ１０２）。
制御部１３０は、受信した電文が、危険事象が発生したことを通知する電文であると解析した場合（ステップＳ１０２；Ｙｅｓ）、危険度判定部１３１はその電文が示す危険事象の内容と発生した位置とに基づいて発生した危険事象の危険度を判定する（ステップＳ１０３）。
非常電話２００からの電文は、オフフックされたことにより自動的に発行されるものであり、危険事象の内容及び位置の情報は含まれていない。このため、危険度判定部１３１は、デフォルトの危険度、例えば、危険度「１」を設定する。なお、電文を送信した非常電話２００の位置属性から、デフォルトの危険度に補正を加えてもよい。例えば、施設管理テーブル１２３ｂから電文を送信してきた非常電話がトンネル内に設置されていることを判別した場合に、位置・危険度特定テーブル１２１ｂの設定に基づいて、危険度を「２」と設定してもよい。
また、交通中央処理装置３００からの電文は、危険事象の内容と発生位置の情報を含んでいる。このため、危険度判定部１３１は、事象・危険度判定テーブル１２１ａに、通知された危険事象の内容を適用して危険度を求める。また、位置・危険度判定テーブル１２１ｂに、通知された危険事象の発生位置を適用して危険度を求める。危険度判定部１３１は、求めた２つの危険度のうち、大きい方を今回発生した危険事象の危険度として採用する。
続いて、点灯形態特定部１３２は、点灯形態テーブル１２２を参照して、判定部１３１が判定した危険度に対応する点灯形態を特定する（ステップＳ１０４）。
次に、記録部１３３は、発生した危険事象に関するデータを危険事象管理テーブル１２３ａに記録する（ステップＳ１０５）。
【００７１】
その後、点灯形態特定部１３２は、記録部１３３がここで記録したデータが示す点灯範囲と他の危険事象の点灯範囲とで重なる範囲があるかどうかを判断する（ステップＳ１０６）。他の危険事象の点灯範囲と重なる範囲がない場合（ステップＳ１０６；Ｎｏ）、通信部１１０は、記録部１３３が記録したデータが示す点灯範囲に含まれるそれぞれの非常電話２００を特定し、点灯色や点灯パターンといった警光灯２１０の点灯態様を指示する旨を示す制御電文を送信する（ステップＳ１０７）。例えば、非常電話２００ｅが操作されたことによって通知された危険事象の危険度が「１」であれば、点灯範囲が２ｋｍと特定される。非常電話２００ｅの上流２Ｋｍの範囲にある非常電話２００は、施設管理テーブル１２３ｂから、非常電話２００ｅ、２００ｄ、２００ｃ、２００ｂである。そこで、点灯形態特定部１３２は、非常電話２００ｅ、２００ｄ、２００ｃ、２００ｂに警光灯２００ｅ、２１０ｄ、２１０ｃ、２００ｂを赤で遅い点滅で点灯すべきことを指示する制御電文を送信する。
【００７２】
一方、他の危険事象の点灯範囲と重なる範囲がある場合（ステップＳ１０６；Ｙｅｓ）、点灯形態特定部１３２は点灯範囲が重なる範囲に含まれる警光灯２１０の点灯態様については、より危険度が大きい危険事象の点灯態様を指定する（ステップＳ１０８）。例えば、非常電話２００ｅが操作されることによって通知された危険事象の危険度が「１」であれば、点灯形態特定部１３２は、基本的には、上述の例のように、非常電話２００ｅ〜２００ｂを赤・遅い点滅で点灯するのが基本であるが、例えば、非常電話２００ｄと２００ｅが既に危険度４の点灯形態で点灯している場合（赤、早い点滅）、非常電話２００ｂと２００ｃに警光灯２１０ｂと２１０ｃに赤で遅い点滅で点灯すべきことを指示する制御電文を送信する。非常電話２００ｅ〜２００ｃには点灯態様を指示する電文を送信しない。
【００７３】
一方、ステップＳ１０２で、受信した電文が危険事象の発生を通知するものではない、と判別された場合（ステップＳ１０２；Ｎｏ）、その電文は、事故が解消したことを通知する電文であるため、記録部１３３は受信した電文が示す危険事象に関するデータを危険事象管理テーブル１２３ａから削除する（ステップＳ１０９）。
【００７４】
その後、点灯形態特定部１３２は、ここで削除したデータが示していた点灯範囲と他の危険事象の点灯範囲とで重なる範囲があるかどうかを判断する（ステップＳ１０６）。他の危険事象の点灯範囲と重なる範囲がない場合（ステップＳ１０６；Ｎｏ）、制御部１３０は、通信部１１０を介して、記録部１３３が削除したデータが示していた点灯範囲に含まれる非常電話２００それぞれに、警光灯２１０を消灯する旨を示す制御電文を送信する（ステップＳ１０７）。
【００７５】
一方、ステップＳ１０１で、受信した電文が修正用電文であると判別された場合（ステップＳ１０１；Ｎｏ）、フローはステップＳ１０３〜Ｓ１０５と同様のステップを進む。
【００７６】
その後、フローは前述のステップＳ１０６に進み、更新した点灯範囲と他の危険事象の点灯範囲とで重なる部分があるかどうかを判断し（ステップＳ１０６）、必要に応じて、警光灯２１０の点灯態様を変更する（ステップＳ１０６〜Ｓ２２２）。
【００７７】
危険事象が解除されたことを交通中央処理装置３００の危険事象検知部３２０が検知した場合、及び、官制装置４００のオペレータがこれを理解した場合、これらの装置の制御部は、解消した場合危険事象を特定する情報、例えば、危険事象が解消したこと、危険事象の内容、発生位置を含む電文を、非常電話中央処理装置１００に送信する。非常電話中央処理装置１００の制御部１３０は、この電文を通信部１１０を介して、受信し（ステップＳ１００）、ステップＳ１０１でＹｅｓと判別され、ステップＳ１０２でＮｏとなる。
制御部１３０は、電文に記載された情報から解消した危険事象を特定し、さらに、記録部１３３は、特定した解消した危険事象に関するデータを危険事象管理テーブルから削除する（ステップＳ１０９）。
その後、フローは前述のステップＳ１０６に進み、解消した危険事象に係る点灯範囲内の各警光灯２１０の点灯態様を変更する（ステップＳ１０６〜Ｓ２２２）。
【００７８】
以上説明したように、本発明の実施形態に係る危険警告システム１によれば、非常電話中央処理装置１００は警光灯２１０を直接点灯制御する機能は備えておらず、非常電話２００が警光灯２１０を点灯制御する機能を備えているため、非常電話中央処理装置１００の処理の負荷は従来技術と比較すると軽減される。
【００７９】
本発明の実施形態に係る非常電話中央処理装置１００は、図１１に示すように、通信部６１０と制御部６２０とこれらを接続するバス６３０とから構成されうるものである。通信部６１０は受信部６１１と送信部６１２とを備え、制御部６２０は指定部６２１を備える。
【００８０】
受信部６１１は、ネットワークＮを介して非常電話２００が操作された旨と非常電話２００が設置されている位置とを示す電文を受信する。指定部６２１は、受信部６１１が受信した電文が示す非常電話２００が操作された旨と非常電話２００が設置されている位置とに基づいて、点灯される警光灯２１０を指定する。送信部６１２は、指定部６２１が点灯することを指定した警光灯２１０を搭載した非常電話２００に、警光灯２１０を点灯する指示を示す制御電文を送信する。非常電話中央処理装置１００は、警光灯２１０を直接点灯制御する機能は備えていないため、非常電話中央処理装置１００の処理の負荷は従来技術と比較すると軽減される。
【００８１】
本発明の実施形態に係る危険警告システム１によれば、進路上で事故が発生した際に、道路利用者は警光灯２１０により視覚を通じて事故の発生の情報をいち早く確実に受け取ることができるため、二次災害の発生を抑制することができる。すなわち、本実施形態によれば、危険状態の発生を安全かつ確実に警告することができる。
【００８２】
以上、本発明の実施形態を説明したが、この発明は上記の実施形態に限定されず、種々の変形および応用が可能である。
【００８３】
上記の実施形態では、非常電話中央処理装置１００と交通中央処理装置３００とを別体として構成しているが、これらが一体となるように構成してもよい。すなわち、非常電話中央処理装置１００が、交通中央処理装置３００が備える検知部３２０を備えるように構成してもよい。
【００８４】
また、上記の実施形態では、非常電話２００が警光灯２１０を制御するように構成しているが、非常電話中央処理装置１００が警光灯２１０を直接制御するように構成してもよい。
【００８５】
非常電話２００に搭載する警告手段は警光灯２１０に限られず、スピーカー等の音を発生させる装置や、自動車に搭載した受信設備や携帯電話等と無線通信ができる近距離通信装置であってもよい。
【００８６】
また、上記の実施形態では、非常電話中央処理装置１００が非常電話２００、交通中央処理装置３００、官制室４００から電文を受信すると自動的に図１０の処理が開始されるが、図１０の処理が開始される前に官制室４００の承認を得るように構成してもよい。
【００８７】
上記の実施形態では、官制装置４００の制御部４５０は、表示部４３０に受信した通常の電文５００ａの示す情報を表示することとしたが、表示しない構成であってもよい。
【００８８】
また、上記の実施形態では、官制室のオペレータが非常電話中央処理装置１００に向けて送信する修正用電文５００ｂは、危険事象の内容や危険事象が発生した位置などを示す電文であると説明したが、単に危険事象管理テーブル１２３ａに記録された危険事象の危険度を変更する旨を示す電文であっても良い。
【００８９】
上記の実施形態では、記録部１３３が危険事象管理テーブル１２３ａに記録したデータが示す点灯範囲と、その前に記録したデータが示す点灯範囲とで重なる範囲がある場合、点灯形態特定部１３２は、その重なった範囲にあるそれぞれの警光灯２１０に、より危険度が大きい危険度の点灯態様を指定すると説明したが、点灯態様は、非常電話２００がそれぞれ判断するように構成してもよい。
【００９０】
なお、上述の実施形態において、危険警告システム１を構成する非常電話中央処理装置１００及び５００、非常電話２００、交通中央処理装置３００及び官制装置４００を制御するそれぞれのプログラムは、フレキシブルディスク、ＣＤ−ＲＯＭ（Ｃｏｍｐａｃｔ  Ｄｉｓｋ  Ｒｅａｄ−ｏnｌｙ  Ｍｅｍｏｒｙ）、ＤＶＤ（Ｄｉｇｉｔａｌ  Ｖｅｒｓａｔｉｌｅ  Ｄｉｓｋ）、ＭＯ（Ｍａｇｎｅｔｏ−Ｏｐｔｉｃａｌ  Ｄｉｓｋ）等のコンピュータが読み取り可能な記録媒体に格納して配布し、そのプログラムを、コンピュータ等にインストールすることにより図１０に示す処理をはじめとする各処理を実行するように構成することとしてもよい。
【００９１】
また、上述のプログラムをインターネット等の通信ネットワーク上の所定のサーバ装置が有するディスク装置等に格納しておき、例えば、搬送波に重畳させて、ダウンロード等するようにしてもよい。
【００９２】
なお、上述の機能を、ＯＳ（Ｏｐｅｒａｔｉｏｎ  Ｓｙｓｔｅｍ）が分担して実現する場合又はＯＳとアプリケーションとの協働により実現する場合等には、ＯＳ以外の部分のみを媒体に格納して配布してもよく、また、ダウンロード等してもよい。
【００９３】
上記の実施形態の一部又は全部は、以下の付記のようにも記載されうるが、以下には限られない。
【００９４】
（付記１）
ネットワークを介して、警光灯を搭載した複数の非常電話と通信可能な非常電話中央処置装置であって、
一の前記非常電話から該非常電話が操作された旨を示す危険事象情報と該非常電話の位置を示す電話位置情報とを受信する受信部と、
前記受信部が受信した前記危険事象情報と前記電話位置情報とに基づいて、点灯させる前記警光灯を指定する指定手段と、
前記指定手段が指定した前記警光灯を搭載した非常電話に、該警光灯を点灯する指示を示す指示情報を送信する送信部と、
を備えることを特徴とする非常電話中央処理装置。
【００９５】
（付記２）
前記非常電話中央処理装置は、ネットワークを介して、複数の非常電話と通信可能な官制装置と通信可能であって、
前記受信部は、前記一の前記非常電話と通話した前記官制装置から送信された危険事象の内容を示す危険事象内容情報と危険事象の発生位置を示す発生位置情報とを含む修正情報を受信し、
前記指定手段は、前記受信部が受信した修正情報に基づいて、点灯させる前記警光灯の指定を修正し、
前記送信部は、前記指定手段が前記修正情報に基づいて指定した前記警光灯を搭載した非常電話に、該警光灯を点灯する指示する指示情報を送信する、
ことを特徴とする付記１に記載の非常電話中央処理装置。
【００９６】
（付記３）
前記非常電話中央処理装置は、ネットワークを介して、交通中央処理装置とさらに通信可能であって、
前記受信部は、前記交通中央処理装置から、発生した危険事象の内容を示す危険事象内容情報と該危険事象が発生した位置を示す発生位置情報とを受信し、
前記指定手段は、前記交通中央処理装置から受信した前記危険事象内容情報と前記発生位置情報とに基づいて、点灯させる前記警光灯を指定する、
ことを特徴とする付記１又は２に記載の非常電話中央処理装置。
【００９７】
（付記４）
前記危険事象内容情報と前記発生位置情報とから、発生した危険事象の危険度を判定する判定手段をさらに備え、
前記指定手段は、前記判定手段が判定した危険度に基づいて、点灯させる前記警光灯と該警光灯の点灯態様を指定し、
前記送信部は、前記指定手段が指定した前記警光灯を搭載した非常電話に、該警光灯の前記点灯態様を指示する情報を送信する、
ことを特徴とする付記２または３に記載の非常電話中央処理装置。
【００９８】
（付記５）
危険度と点灯対象の前記警光灯の設置範囲と該警光灯の点灯態様との組み合わせを記憶する記憶部をさらに備え、
前記指定手段は、前記判定手段が判定した危険度に対応した前記記憶部に記憶された前記組み合わせに基づいて、点灯させる前記警光灯と該警光灯の点灯態様とを指定する、
ことを特徴とする付記４に記載の非常電話中央処理装置。
【００９９】
（付記６）
前記受信部は、消滅した危険事象を示す消滅危険事象情報をさらに受信し、
前記指定手段は、前記受診部が受信した消滅危険事象情報に基づいて、消灯させる前記警光灯を指定し、
前記送信部は、前記指定手段が指定した前記警光灯を搭載した非常電話に、該警光灯を消灯することを指示する情報を送信する、
ことを特徴とする付記１乃至５のいずれか一項に記載の非常電話中央処理装置。
【０１００】
（付記７）
ネットワークを介して、警光灯を搭載した複数の非常電話を制御する非常電話中央処理装置と通信可能な非常電話であって、
警光灯と、
通話手段と、
この非常電話が操作されたことを示す危険事象情報を前記非常電話中央処理装置に送信すると共に官制装置との音声通話を可能とする通信手段と、
前記非常電話中央処理装置から前記警光灯を点灯する指示を示す指示情報を受信する受信部と、
前記受信部が受信した前記指示情報に基づいて、前記警光灯を制御する制御手段と、
を備えることを特徴とする非常電話。
【０１０１】
（付記８）
ネットワークを介して接続された、それぞれが警光灯を搭載した複数の非常電話と、警光灯を搭載した複数の非常電話を制御する非常電話中央処理装置と、を備えた危険警告システムであって、
前記非常電話は、
警光灯と、
前記非常電話が操作された旨を示す危険事象情報と該非常電話の位置を示す電話位置情報とを前記非常電話中央処理装置に送信する第１の送信部と、
前記非常電話中央処理装置から前記警光灯を点灯することを指示する指示情報を受信する第１の受信部と、
前記第１の受信部が受信した前記指示情報に基づいて、前記警光灯を制御する制御手段と、を備え、
前記非常電話中央処理装置は、
前記非常電話から前記危険事象情報と前記電話位置情報とを受信する第２の受信部と、
前記第２の受信部が受信した前記危険事象情報と前記電話位置情報とに基づいて、点灯させる前記警光灯を指定する指定手段と、
前記指定手段が指定した前記警光灯を搭載した非常電話に、該警光灯を点灯する指示を示す指示情報を送信する第２の送信部と、を備える、
ことを特徴とする危険警告システム。
【０１０２】
（付記９）
前記危険警告システムは、前記ネットワークに接続された官制装置をさらに備え、
前記非常電話は、それぞれ、所定の操作に応答して、前記官制装置と音声接続する手段を備え、
前記官制装置は、
前記非常電話と音声通話する手段と、
発生した危険事象の危険度を特定するための危険度情報を受け付ける操作部と、
前記操作部が受け付けた危険度情報を前記非常電話中央処理装置に送信する第３の送信部と、を備え、
前記非常電話中央処理装置の、
前記第２の受信部は、前記官制装置から前記危険度情報を受信し、
前記指定手段は、前記第２の受信部が受信した前記危険度情報に基づいて、点灯態様を変更する前記警光灯と該警光灯の変更後の点灯態様とを指定し、
前記第２の送信部は、前記指定手段が指定した前記警光灯を搭載した非常電話に、該警光灯の変更後の点灯態様を指示する情報を送信する、
ことを特徴とする付記８に記載の危険警告システム。
【０１０３】
（付記１０）
前記ネットワークに接続された交通中央処理装置をさらに備え、
前記交通中央処理装置は、
危険事象が発生したことを検知する検知手段と、
前記検知手段が検知した前記危険事象の内容を示す危険事象内容情報と該危険事象が発生した位置を示す発生位置情報とを前記非常電話中央処理装置に送信する第３の送信部と、を備え、
前記非常電話中央処理装置の、
前記第２の受信部は、前記交通中央処理装置から、前記危険事象の内容を示す前記危険事象内容情報と該危険事象が発生した位置を示す前記発生位置情報とをさらに受信し、
前記指定手段は、前記第２の受信部が受信した前記危険事象内容情報と前記発生位置情報とに基づいて、点灯させる前記警光灯を指定し、
前記第２の送信部は、前記指定手段が指定した前記警光灯を搭載した非常電話に、該警光灯を点灯する指示を示す前記指示情報を送信する、
ことを特徴とする付記８に記載の危険警告システム。
【０１０４】
（付記１１）
前記交通中央処理装置の、
前記検知手段は、危険事象が消滅したことを検知し、
前記第３の送信部は、前記検知手段が前記危険事象が消滅したことを検知すると、該危険事象を特定するための消滅危険事象情報を前記非常電話中央処理装置にさらに送信し、
前記非常電話中央処理装置の、
前記第２の受信部は、前記交通中央処理装置から、前記消滅危険事象情報をさらに受信し、
前記指定手段は、前記第２の受信部が受信した前記消滅危険事象情報に基づいて、消灯させる前記警光灯を指定し、
前記第２の送信部は、前記指定手段が指定した前記警光灯を搭載した非常電話に、該警光灯を消灯することを指示する情報を送信する、
ことを特徴とする付記１０に記載の危険警告システム。
【０１０５】
（付記１２）
一の非常電話が操作されたことを示す情報を受信し、
受信した情報に基づいて、点灯させる警光灯を搭載している非常電話を指定し、
指定した非常電話に、該警光灯を点灯することを指示する、
非常電話中央処理方法。
【０１０６】
（付記１３）
コンピュータに、
一の非常電話が操作されたことを示す情報を受信し、
受信した情報に基づいて、点灯させる警光灯を搭載している非常電話を指定し、
指定した非常電話に、該警光灯を点灯することを指示する、
処理を実行させる非常電話中央処理プログラム。
【符号の説明】
【０１０７】
１：危険警告システム
１００：非常電話中央処理装置
１１０：通信部
１２０：記憶部
１２１：判定テーブル
１２１ａ：事象・危険度判定テーブル
１２１ｂ：位置・危険度判定テーブル
１２２：点灯形態テーブル
１２３：管理テーブル
１２３ａ：危険事象管理テーブル
１２３ｂ：施設管理テーブル
１３０：制御部
１３１：危険度判定部
１３２：点灯形態特定部
１３３：記録部
１４０：バス
２００：非常電話
２１０：警光灯
２２０：通信部
２３０：操作部
２４０：記憶部
２５０：制御部
２６０：バス
３００：交通中央処理装置
３１０：通信部
３２０：危険事象検知部
３３０：記憶部
３４０：制御部
３５０：バス
４００：官制装置
４１０：通信部
４２０：操作部
４３０：表示部
４４０：記憶部
４５０：制御部
４６０：バス
５００ａ：通常の電文
５００ｂ：修正用電文
６００：非常電話中央処理装置
６１０：通信部
６１１：受信部
６１２：送信部
６２０：制御部
６２１：指定部
６３０：バス
Ｎ：ネットワーク
【図１】
2017126096.tif 000003
【図２】
2017126096.tif 000004
【図３】
2017126096.tif 000005
【図４】
2017126096.tif 000006
【図５】
2017126096.tif 000007
【図６】
2017126096.tif 000008
【図７】
2017126096.tif 000009
【図８】
2017126096.tif 000010
【図９】
2017126096.tif 000011
【図１０】
2017126096.tif 000012
【図１１】
2017126096.tif 000013